(57)【特許請求の範囲】
【請求項１】
壁上部の周囲に設けられた回り縁に膜天井シートの縁部が係止されることにより膜状の天井面が形成される膜天井であって、
前記膜天井シートの縁部には、当該縁部に固定される水平な取付部と、当該取付部から略Ｕ字状に屈曲された係止部と、取付部と係止部との接続部位から係止部の内方側へ延出された押さえ片と、を備えたフックが取り付けられており、
一方、前記回り縁は、壁上部の壁面に固定される取付座と、この取付座の下端部から室内側へ延出されかつ取付座側へ屈曲されてフックの係止部が係止される被係止部と、この被係止部の根元から室内側でかつ上方側へ延出された上方延出部と、被係止部に対して上方延出部と反対側に延出されて取付座の下端部から下方へ離間した位置で壁上部に当接し荷重を受ける荷重受部と、を備えており、
前記回り縁に前記膜天井シートの縁部が係止された状態では、フックの係止部と押さえ片との間に回り縁の被係止部が上下に挟まれるようにして係止されると共に、上方延出部の先端部がフックの取付部に下側から当接し、更に係止部から被係止部に作用する荷重を荷重受部の先端部が壁上部に当接することで支持しており、
かつ、
膜天井シートの上方に室内側壁面間に亘って掛け渡されて配置され、引締め具によって所定のテンションが付与された張設部材と、
膜天井シートの複数箇所にシート上方側へ向けて起立状態で配置されると共に膜天井シートの上面に沿って長尺状に延在され、下部が膜天井シートから下方側へ突出しないように膜天井シートに固定されると共に上部に張設部材が挿通される挿通孔が形成された複数の吊り部と、
を含んで構成されたシート保持手段を備えた、
ことを特徴とする膜天井。
【請求項２】
前記吊り部は、その内部に長尺状の芯材を有する、
ことを特徴とする請求項１に記載の膜天井。
【発明の詳細な説明】
【０００１】
【発明の属する技術分野】
本発明は、壁上部の周囲に設けられた回り縁に膜天井シートの縁部が係止されることにより膜状の天井面が形成される膜天井に関する。
【０００２】
【従来の技術】
従来から、室内の外観を変化させる等の目的で、布や樹脂シートを使って天井面を形成する所謂膜天井という技術が用いられている。この種の膜天井の開示例としては特公平２−１５７１０号公報があり、以下に簡単に説明する。
【０００３】
図９に示されるように、膜天井１００は、概略的には、壁１０２の天井側所定位置に配設された回り縁１０４と、この回り縁１０４に係止される膜天井シート１０６と、によって構成されている。
【０００４】
回り縁１０４は、壁１０２への取付面を構成する垂直フランジ部１０４Ａと、この垂直フランジ部１０４Ａの下端部から室内側へ延びる水平フランジ部１０４Ｂと、この水平フランジ部１０４Ｂの先端部からフック状に屈曲された被係止部１０４Ｃと、垂直フランジ部１０４Ａと水平フランジ部１０４Ｂとが交差する部分に設けられた補強用の傾斜部１０４Ｄと、によって構成されており、断面形状が略Ｌ字形に形成されている。
【０００５】
一方、この回り縁１０４に係止される膜天井シート１０６は、樹脂製のシート本体１０６Ａと、このシート本体１０６Ａの縁部に取り付けられたフック状の係止部１０６Ｂと、によって構成されている。
【０００６】
上記構成によれば、膜天井シート１０６の係止部１０６Ｂを回り縁１０４の被係止部１０４Ｃへ係止させることにより、膜天井シート１０６のシート本体１０６Ａに所定のテンションが付与されて水平な天井面が形成される。
【０００７】
【発明が解決しようとする課題】
しかしながら、上記構成の膜天井１００による場合、室内空間が広くなるにつれてシート本体１０６Ａも面積の大きなものを使う必要があるが、このような面積の大きなシート本体１０６Ａを使用すると、シート本体１０６Ａがその自重によって垂れ下がりやすくなる。なお、この問題は、経年変化によるシート本体１０６Ａの劣化が進むにつれて助長される傾向にある。
【０００８】
本発明は上記事実を考慮し、室内空間が広くても、膜天井シートの垂れ下がりを極力防止することができる膜天井を得ることが目的である。
【０００９】
【課題を解決するための手段】
請求項１記載の本発明は、壁上部の周囲に設けられた回り縁に膜天井シートの縁部が係止されることにより膜状の天井面が形成される膜天井であって、前記膜天井シートの縁部には、当該縁部に固定される水平な取付部と、当該取付部から略Ｕ字状に屈曲された係止部と、取付部と係止部との接続部位から係止部の内方側へ延出された押さえ片と、を備えたフックが取り付けられており、一方、前記回り縁は、壁上部の壁面に固定される取付座と、この取付座の下端部から室内側へ延出されかつ取付座側へ屈曲されてフックの係止部が係止される被係止部と、この被係止部の根元から室内側でかつ上方側へ延出された上方延出部と、被係止部に対して上方延出部と反対側に延出されて取付座の下端部から下方へ離間した位置で壁上部に当接し荷重を受ける荷重受部と、を備えており、前記回り縁に前記膜天井シートの縁部が係止された状態では、フックの係止部と押さえ片との間に回り縁の被係止部が上下に挟まれるようにして係止されると共に、上方延出部の先端部がフックの取付部に下側から当接し、更に係止部から被係止部に作用する荷重を荷重受部の先端部が壁上部に当接することで支持しており、かつ、膜天井シートの上方に室内側壁面間に亘って掛け渡されて配置され、引締め具によって所定のテンションが付与された張設部材と、膜天井シートの複数箇所にシート上方側へ向けて起立状態で配置されると共に膜天井シートの上面に沿って長尺状に延在され、下部が膜天井シートから下方側へ突出しないように膜天井シートに固定されると共に上部に張設部材が挿通される挿通孔が形成された複数の吊り部と、を含んで構成されたシート保持手段を備えた、ことを特徴としている。
【００１０】
請求項２記載の本発明に係る膜天井は、請求項１に記載の発明において、前記吊り部は、その内部に長尺状の芯材を有する、ことを特徴としている。
【００１１】
請求項１記載の本発明によれば、膜天井シートの縁部には、当該縁部に固定される水平な取付部と、当該取付部から略Ｕ字状に屈曲された係止部と、取付部と係止部との接続部位から係止部の内方側へ延出された押さえ片と、を備えたフックが取り付けられており、一方、回り縁は、壁上部の壁面に固定される取付座と、この取付座の下端部から室内側へ延出されかつ取付座側へ屈曲されてフックの係止部が係止される被係止部と、この被係止部の根元から室内側でかつ上方側へ延出された上方延出部と、被係止部に対して上方延出部と反対側に延出されて取付座の下端部から下方へ離間した位置で壁上部に当接し荷重を受ける荷重受部と、を備えている。そして、回り縁に膜天井シートの縁部が係止された状態では、フックの係止部と押さえ片との間に回り縁の被係止部が上下に挟まれるようにして係止されると共に、上方延出部の先端部がフックの取付部に下側から当接し、更に係止部から被係止部に作用する荷重を荷重受部の先端部が壁上部に当接することで支持するようになっている。
ここで、膜天井シートの上方には室内側壁面間に亘って張設部材が掛け渡されて配置されており、当該張設部材は引締め具によって所定のテンションが付与されている。かかる張設部材が膜天井シートの複数箇所にシート上方側へ向けて起立状態で配置されると共に膜天井シートの上面に沿って長尺状に延在された複数の吊り部の挿通孔内へ順次挿通されることにより、膜天井シートが複数の吊り部を介して張設部材に吊られて保持される。従って、室内空間が広く、膜天井シートの自重が必然的に重くなったとしても、その自重はシート保持手段によって充分に支持される。
さらに、各吊り部の長さを適宜変えていくことにより、Ｒ天井や波天井といった種々の形態の膜天井を実現することができる。また、照明との組み合わせ方によっても、種々の天井の演出が可能となる。
【００１２】
請求項２記載の本発明によれば、吊り部はその内部に長尺状の芯材を有するので、吊り部の強度を上げることができる。
【００１３】
【発明の実施の形態】
〔第１実施形態〕
以下、図１〜図４を用いて、本発明の第１実施形態について説明する。
【００１４】
図１には、マンションの居室１０に適用された組付後の膜天井１２の横断面構造が示されている。この図に示されるように、膜天井１２は、壁１４の天井側所定位置に配設された専用回り縁１６と、この専用回り縁１６に係止されて天井１８の下方側に張設された膜天井シート２０と、によって構成されている。なお、壁１４は躯体側を構成するコンクリート壁２２とその室内側に配設される断熱材２４とによって構成されており、又天井１８はコンクリート天井（スラブ）２６とその室内側に配設される断熱材２８とによって構成されている。
【００１５】
上述した壁１４の室内側には、室内高さ方向を長手方向とする間柱３０が互いに対向して立設されている。間柱３０の上端部の室内側には矩形平板状に形成された木製の下地材３２が配置されており、更に下地材３２の室内側の面には表面がクロス張りされたプラスターボード３４が当てがわれている。また、プラスターボード３４における下地材３２の上部側となる位置にはバックル係止部材３６が配置されており、更にバックル係止部材３６の直下には専用回り縁１６が配置されている。これらのバックル係止部材３６及び専用回り縁１６は、プラスターボード３４と共にスクリュー３８、４０で共締めされている。
【００１６】
バックル係止部材３６は、下地材３２への取付座３６Ａと、この取付座３６Ａから室内方向へ水平に延出されたＵ字形の被係止部３６Ｂと、によって構成されており、後述する「引締め具」としてのターンバックル４２の係止用とされるものである。
【００１７】
また、専用回り縁１６は、図２に示される如く、下地材３２への取付座１６Ａと、この取付座１６Ａの下端部から室内側へ延出された延出部１６Ｂと、を含んで構成されている。さらに、延出部１６Ｂは、取付座１６Ａ側へ向けて屈曲されて後述する膜天井シート２０が係止される被係止部１６Ｂ1 と、取付座１６Ａから下方へ離間した位置でプラスターボード３４における下地材３２の下縁側に当接係止される荷重受部１６Ｂ2 と、被係止部１６Ｂ１の根元から室内側でかつ上方側へ延出された上方延出部１６Ｂ３と、を備えている。
【００１８】
図１に戻り、上述した一対のバックル係止部材３６の被係止部３６Ｂには、ターンバックル４２を介して「張設部材」としての吊りワイヤ４４が張設されている。より具体的に説明すると、吊りワイヤ４４は金属製のワイヤであり、この吊りワイヤ４４の両端部にはループ部４４Ａがそれぞれ形成されている。そして、互いに対向する吊りワイヤ４４のループ部４４Ａとバックル係止部材３６の被係止部３６Ｂとに、ターンバックル４２の両端部に設けられた一対のフック部４２Ａがそれぞれ係止されている。
【００１９】
なお、ターンバックル４２の各フック部４２Ａは枠状の本体部４２Ｂに同軸上に螺合されており、フック部４２Ａの本体部４２Ｂへの螺入量を適宜調整することにより、吊りワイヤ４４に所定のテンションを付与することができるようになっている。また、居室１０の図示されない方の壁（図１の紙面奥側及び手前側に位置する壁）間には、天井１８の断熱材２８に沿って長尺状のフック取付用下地材４６が配設されている。このフック取付用下地材４６に取り付けられたフック４８は、吊りワイヤ４４に補助的に係止されている。
【００２０】
また、上述した一対の専用回り縁１６の被係止部１６Ｂ1 には、膜天井シート２０が係止されている。より具体的に説明すると、膜天井シート２０は樹脂製又は布製等の材質によって構成されており、その周縁部には樹脂製のフック５０が取り付けられている。なお、膜天井シート２０の中央部に配設されているのは、シャンデリア等の照明器具取付用のプレート５２である。
【００２１】
図３に示されるように、フック５０は、膜天井シート２０の周縁部の所定位置に接着又は熱溶着される水平な取付部５０Ａと、この取付部５０Ａの先端部に一体的に設けられ略Ｕ字形に屈曲された係止部５０Ｂと、取付部５０Ａと係止部５０Ｂとの接続部位から係止部５０Ｂの内方側へ延出された略Ｌ字形の押さえ片５０Ｃと、によって構成されている。膜天井シート２０は、このフック５０の係止部５０Ｂと押さえ片５０Ｃとの間に専用回り縁１６の被係止部１６Ｂ1 を挿入させることにより、弾性的に係止されている。
【００２２】
さらに、図１に示されるように、上述した膜天井シート２０は、一定の間隔で配置された複数の吊り部５４によって吊りワイヤ４４に吊られている。より詳しくは、図４に示されるように、吊り部５４は、内部に段ボール等を用いた長尺状の芯材５６の表面を袋状のカバー５８で覆い、当該カバー５８の両端末部５８Ａを膜天井シート２０に設けた両端末部２０Ａ間に挿入させ、双方の両端末部５８Ａ、２０Ａを縫合糸６０で縫合することにより構成されている。なお、縫合に代えて、接着や熱溶着、クリップ止め等を用いてもよい。
【００２３】
上述した吊り部５４の長手方向の所定位置には長孔状のワイヤ挿通孔６２が形成されており、このワイヤ挿通孔６２内へ前述した吊りワイヤ４４が挿通されている。これにより、膜天井シート２０は、複数の吊り部５４を介して吊りワイヤ４４に保持されている。
【００２４】
なお、上記構成において、吊りワイヤ４４及び吊り部５４が、請求項１記載の本発明における「シート保持手段」に相当する。
【００２５】
次に、本実施形態の作用並びに効果について説明する。
居室１０の室内空間が広い場合には、膜天井シート２０も必然的に面積の大きなものを用いることになり、いきおいその自重も重くなる。
【００２６】
ここで、本実施形態によれば、膜天井シート２０は、複数の吊り部５４によって複数箇所にて吊られて吊りワイヤ４４に保持されている。このため、膜天井シート２０の面積が大きく自重が重いものとなっても、その自重は複数の吊り部５４を介して吊りワイヤ４４に分散されて支持される。その結果、本実施形態によれば、室内空間が広くても、膜天井シート２０の垂れ下がりを極力防止することができる。
【００２７】
また、本実施形態によれば、膜天井シート２０の弾性（伸び）を利用してフック５０を専用回り縁１６の被係止部１６Ｂ1 に係止させるだけで、膜天井シート２０に所定の張りを持たせることができる。このため、熱（火力）を用いて、膜天井シート２０を伸ばす必要がなく、施工性を向上させることができる。
【００２８】
さらに、本実施形態によれば、吊り部５４のカバー５８内に芯材５６が配設されているため、吊り部５４の強度を上げることができる。このため、膜天井シート２０の面積が大きくその自重が重くなる場合にも、充分な支持強度を確保することができる。さらに、膜天井シート２０の自重等を考慮して材質及び強度が異なる芯材を用いるといったことも可能となり、膜天井シート２０の諸元（寸法、単位面積当りの重量等）に最適な（即ち、強過ぎず、弱過ぎない）芯材を容易に選択することができる。
〔第２実施形態〕
次に、図５〜図８を用いて、幾つかのバリエーションを示す。なお、前述した第１実施形態と同一構成部分については、同一番号を付してその説明を省略する。
（天井形態のバリエーション）
図５に示される膜天井７０では、Ｒ天井とした点に特徴がある。簡単に説明すると、ここでは、前述した第１実施形態で用いた平天井タイプの膜天井シート２０よりも大きい面積の膜天井シート７２が用いられている。さらに、吊り部７４も、壁１４に向かうにつれて高さ方向寸法が長くなるものを使用している。このように構成することにより、平天井とは異なるＲ天井の膜天井７０を実現することができる。
【００２９】
また、図６に示される膜天井７６では、波天井とした点に特徴がある。ここでも、前述した第１実施形態で用いた平天井タイプの膜天井シート２０よりも多少大きな面積の膜天井シート７８が用いられている。なお、吊り部５４については前述した第１実施形態と同様構成のものが用いられており、即ち高さ方向寸法がすべて同一とされかつ配置間隔も等間隔とされている。このように構成することにより、平天井やＲ天井とも異なる波天井の膜天井７６を実現することができる。
（照明との組み合わせによるバリエーション）
図７に示される構成は、図５に示されるＲ天井の膜天井７０に間接照明器具８０を組み合わせたものである。簡単に説明すると、Ｒ天井の膜天井７０の壁際には、当該膜天井７０に向けて照明光を発する間接照明器具８０が配設されている。このようにＲ天井の膜天井７０と間接照明器具８０とを組み合わせた場合と、平天井の膜天井１２と間接照明器具８０とを組み合わせた場合とを比較すると、後者の場合には照明範囲が膜天井７０の曲面形状に沿ってぼんやりと広がっていき、柔和な感じの天井の演出が可能となる。
【００３０】
また、図８に示される構成は、図５に示されるＲ天井の膜天井７０と大型照明器具（シャンデリア）８２を組み合わせたものである。このような大型照明器具８２を取り付けると、一般には居室１０に居る人に圧迫感を与えることが多い。しかし、この構成のようにＲ天井の膜天井７０の中央部に大型照明器具８２を取り付けると、大型照明器具８２がより高い位置にあるかの如き錯覚を与え、人に対する圧迫感を解消又は軽減することができる。
【００３１】
このように前述した第１実施形態の膜天井１２の構成を応用することにより、種々のバリエーションを生むことが可能となり、多様化した需要者ニーズに対して広範囲に応えることができる。
【００３２】
なお、上述した実施形態では、張設部材として吊りワイヤ４４を用いたが、これに限らず、引締め具によって所定のテンションを付与できる構成であればすべて適用である。
【００３３】
また、上述した実施形態では、膜天井シート２０に吊り部５４を縫合糸６０で縫着させたが、これに限らず、膜天井シート２０とは別体で吊り部を構成してもよい。例えば、カーテンレールにスライド可能に保持されるフックのような構成の複数の吊り部の各上端部を予め吊りワイヤ４４に挿通させておくと共に、膜天井シート２０の適宜位置に樹脂製のフックを縫い付けておき、当該吊り部の下端部を膜天井シート２０側のフックに係止させるようにしてもよい。
【００３４】
さらに、上述した実施形態では、吊り部５４内に段ボール等による芯材５６を配設する構成を採ったが、カバー５８の材料強度（特に引張強度）次第では芯材５６を廃止してもよい。
【００３５】
また、本実施形態では、マンション（集合住宅）の居室１０に膜天井１２、７０、７６を配設する場合を例にして説明してきたが、これに限らず、ユニット住宅の居室やその他の建物の室内空間に対しても本発明に係る膜天井は適用可能である。
【００３６】
【発明の効果】
以上説明したように、請求項１記載の本発明に係る膜天井は、膜天井シートの上方に室内側壁面間に亘って掛け渡されて配置され、引締め具によって所定のテンションが付与された張設部材と、膜天井シートの複数箇所にシート上方側へ向けて起立状態で配置されると共に膜天井シートの上面に沿って長尺状に延在され、下部が膜天井シートから下方側へ突出しないように膜天井シートに固定されると共に上部に張設部材が挿通される挿通孔が形成された複数の吊り部と、を含んで構成されたシート保持手段を備えたので、室内空間が広くても、膜天井シートの垂れ下がりを極力防止することができるという優れた効果を有する。
【００３７】
さらに、上記の構成としたので、膜天井シートの垂れ下がりを極力防止しつつ、膜天井のバリエーションを増やすことができるという優れた効果を有する。
請求項２記載の本発明に係る膜天井は、請求項１に記載の発明において、吊り部はその内部に長尺状の芯材を有するので、膜天井シートの面積が大きくその自重が重くなる場合にも、充分な支持強度を確保することができるという優れた効果を有する。
【図面の簡単な説明】
【図１】第１実施形態に係る膜天井の全体構成を示す横断面図である。
【図２】図１に示される回り縁を拡大して示す側面図である。
【図３】膜天井シートの周縁部に固着されるフックを示す側面図である。
【図４】膜天井シートの吊り部を拡大して示す拡大斜視図である。
【図５】膜天井の形態面でのバリエーションの一つ（Ｒ天井タイプ）を示す概略構成図である。
【図６】膜天井の形態面でのバリエーションの一つ（波天井タイプ）を示す概略構成図である。
【図７】膜天井と照明器具との組み合わせによるバリエーションの一つ（Ｒ天井＋間接照明タイプ）を示す概略構成図である。
【図８】膜天井と照明器具との組み合わせによるバリエーションの一つ（Ｒ天井＋シャンデリアタイプ）を示す概略構成図である。
【図９】従来例に係る膜天井の構造を一部破断して示す斜視図である。
【符号の説明】
１２    膜天井
１４    壁
１６    専用回り縁
１６Ａ    取付座
１６Ｂ１ 被係止部
１６Ｂ２ 荷重受部
１６Ｂ３ 上方延出部
２０    膜天井シート
３４    プラスターボード（室内側壁面）
４２    ターンバックル（引締め具）
４４    吊りワイヤ（張設部材、シート保持手段）
５０ フック
５０Ａ 取付部
５０Ｂ 係止部
５０Ｃ 押さえ片
５４    吊り部（シート保持手段）
５６    芯材
６０    ワイヤ挿通孔
７０    膜天井
７２    膜天井シート
７４    吊り部（シート保持手段）
７６    膜天井
７８    膜天井シート
【図１】
0003853927.tif 000002
【図２】
0003853927.tif 000003
【図３】
0003853927.tif 000004
【図４】
0003853927.tif 000005
【図５】
0003853927.tif 000006
【図６】
0003853927.tif 000007
【図７】
0003853927.tif 000008
【図８】
0003853927.tif 000009
【図９】
0003853927.tif 000010